(57)【特許請求の範囲】
【請求項１】
ＭＢＭＳデータの同報配信をサポートする一般セルと、接続可能なＣＳＧセルの属する周波数をセル選択の最高優先度に設定する規則が適用される移動端末と、を含む移動通信システムにおいて用いられる移動通信方法であって、
前記一般セルから報知される前記ＭＢＭＳデータをアイドル状態で前記移動端末が受信する場合で、かつ、前記一般セルの属する周波数と前記ＣＳＧセルの属する周波数とが異なる場合には、前記移動端末が、前記規則に代えて他の規則を適用するステップと、
前記一般セルの属する周波数が前記ＣＳＧセルの属する周波数と同じである場合には、前記ＣＳＧセルを再選択するステップと、
を備えることを特徴とする移動通信方法。
【請求項２】
前記他の規則とは、前記一般セルの属する周波数をセル選択の最高優先度に設定する規則であることを特徴とする請求項１に記載の移動通信方法。
【請求項３】
前記一般セルから報知される前記ＭＢＭＳデータをアイドル状態で前記移動端末が受信する場合で、かつ、前記一般セルの属する周波数と前記ＣＳＧセルの属する周波数とが同じである場合には、前記移動端末が、前記規則を適用するステップをさらに備えることを特徴とする請求項１に記載の移動通信方法。
【請求項４】
ＭＢＭＳデータの同報配信をサポートする一般セルを含む移動通信システムにおいて、接続可能なＣＳＧセルの属する周波数をセル選択の最高優先度に設定する規則が適用される移動端末であって、
前記一般セルから報知される前記ＭＢＭＳデータをアイドル状態で受信する場合で、かつ、前記一般セルの属する周波数と前記ＣＳＧセルの属する周波数とが異なる場合には、前記規則に代えて他の規則を適用するよう制御する制御部を備え、
前記制御部は、前記一般セルの属する周波数が前記ＣＳＧセルの属する周波数と同じである場合には、前記ＣＳＧセルを再選択することを特徴とする移動端末。
【請求項５】
ＭＢＭＳデータの同報配信をサポートする一般セルを含む移動通信システムにおいて、接続可能なＣＳＧセルの属する周波数をセル選択の最高優先度に設定する規則が適用される移動端末に備えられるプロセッサであって、
前記一般セルから報知される前記ＭＢＭＳデータをアイドル状態で前記移動端末が受信する場合で、かつ、前記一般セルの属する周波数と前記ＣＳＧセルの属する周波数とが異なる場合には、前記規則に代えて他の規則を適用する処理を行い、
前記一般セルの属する周波数が前記ＣＳＧセルの属する周波数と同じである場合には、前記ＣＳＧセルを再選択することを特徴とするプロセッサ。
【発明の詳細な説明】
【技術分野】
【０００１】
本発明は、ＭＢＭＳデータの同報配信をサポートする一般セルと前記ＭＢＭＳデータの同報配信をサポートしない特定セルとを含む移動通信システムに適用される移動通信方法、移動端末、及びプロセッサに関する。
【背景技術】
【０００２】
従来、ＭＢＭＳデータの同報配信をサポートする一般セル（例えば、マクロセル）が知られている。また、ＣＳＧ（Ｃｌｏｓｅｄ  Ｓｕｂｓｃｒｉｂｅｒ  Ｇｒｏｕｐ）セル、ホームセル又はフェムトセルなどと称される特定セルも知られている。【０００３】
なお、特定セルには、アクセス種別を設定することが可能である。アクセス種別は、「Ｃｌｏｓｅｄ」、「Ｈｙｂｒｉｄ」又は「Ｏｐｅｎ」である。【０００４】
ここで、特定セルは、ＭＢＭＳデータの同報配信をサポートしていない。従って、一般セルから特定セルへのハンドオーバやセル選択が行われると、移動端末が継続的にＭＢＭＳデータを受信することができない。
【発明の概要】
【０００５】
本発明に係る移動通信方法は、ＭＢＭＳデータの同報配信をサポートする一般セルと、接続可能なＣＳＧセルの属する周波数をセル選択の最高優先度に設定する規則が適用される移動端末と、を含む移動通信システムにおいて、前記ＭＢＭＳデータを前記移動端末に配信するための移動通信方法であって、前記一般セルから報知される前記ＭＢＭＳデータをアイドル状態で前記移動端末が受信する場合で、かつ、前記一般セルの属する周波数と前記ＣＳＧセルの属する周波数とが異なる場合には、前記移動端末が、前記規則に代えて他の規則を適用するステップを備えることを特徴とする。
【０００６】
前記他の規則とは、前記一般セルの属する周波数をセル選択の最高優先度に設定する規則であってもよい。
【０００７】
前記移動通信方法は、前記一般セルから報知される前記ＭＢＭＳデータをアイドル状態で前記移動端末が受信する場合で、かつ、前記一般セルの属する周波数と前記ＣＳＧセルの属する周波数とが同じである場合には、前記移動端末が、前記規則を適用するステップをさらに備えてもよい。
【０００８】
本発明に係る移動端末は、ＭＢＭＳデータの同報配信をサポートする一般セルを含む移動通信システムにおいて、接続可能なＣＳＧセルの属する周波数をセル選択の最高優先度に設定する規則が適用される移動端末であって、前記一般セルから報知される前記ＭＢＭＳデータをアイドル状態で受信する場合で、かつ、前記一般セルの属する周波数と前記ＣＳＧセルの属する周波数とが異なる場合には、前記規則に代えて他の規則を適用するよう制御する制御部を備えることを特徴とする。
【０００９】
本発明に係るプロセッサは、ＭＢＭＳデータの同報配信をサポートする一般セルを含む移動通信システムにおいて、接続可能なＣＳＧセルの属する周波数をセル選択の最高優先度に設定する規則が適用される移動端末に備えられるプロセッサであって、前記一般セルから報知される前記ＭＢＭＳデータをアイドル状態で前記移動端末が受信する場合で、かつ、前記一般セルの属する周波数と前記ＣＳＧセルの属する周波数とが異なる場合には、前記規則に代えて他の規則を適用する処理を行うことを特徴とする。
【００１０】
第１の特徴に係る移動通信方法は、ＭＢＭＳデータの同報配信をサポートする一般セルと前記ＭＢＭＳデータの同報配信をサポートしない特定セルとを含む移動通信システムにおいて、前記ＭＢＭＳデータを移動端末に配信するための方法である。移動通信方法は、前記一般セルから報知される前記ＭＢＭＳデータをアイドル状態で前記移動端末が受信する場合において、前記移動端末が、前記一般セルにおいてアイドル状態からコネクティッド状態に遷移した上で、前記一般セルから前記特定セルへのハンドオーバを行うステップＡを備える。
【００１１】
第１の特徴において、前記ステップＡにおいて、前記一般セルの属する周波数が前記特定セルの属する周波数と同じである場合に、前記移動端末が、前記一般セルにおいてアイドル状態からコネクティッド状態に遷移した上で、前記一般セルから前記特定セルへのハンドオーバを行う。
【００１２】
第１の特徴において、前記ステップＡにおいて、前記ＭＢＭＳデータ以外のサービスが利用されていない場合であっても、前記移動端末が、前記一般セルにおいてアイドル状態からコネクティッド状態に遷移した上で、前記一般セルから前記特定セルへのハンドオーバを行う。
【００１３】
第２の特徴に係る移動通信方法は、ＭＢＭＳデータの同報配信をサポートする一般セルと前記ＭＢＭＳデータの同報配信をサポートしない特定セルとを含む移動通信システムにおいて、前記ＭＢＭＳデータを移動端末に配信するための方法である。移動通信方法は、前記一般セルから報知される前記ＭＢＭＳデータをアイドル状態で前記移動端末が受信する場合において、前記移動端末が、前記一般セルにおけるアイドル状態から前記特定セルへ接続手順を開始するステップＡを備える。
【００１４】
第２の特徴において、前記ステップＡにおいて、前記一般セルの属する周波数が前記特定セルの属する周波数と同じである場合に、前記移動端末が、前記一般セルにおけるアイドル状態から前記特定セルへ接続手順を開始する。
【００１５】
第２の特徴において、前記ステップＡにおいて、前記ＭＢＭＳデータ以外のサービスが利用されていない場合であっても、前記移動端末が、前記一般セルにおけるアイドル状態から前記特定セルへ接続手順を開始する。
【００１６】
第３の特徴に係る移動端末は、ＭＢＭＳデータの同報配信をサポートする一般セルと前記ＭＢＭＳデータの同報配信をサポートしない特定セルとを含む移動通信システムにおいて、前記ＭＢＭＳデータを受信する。移動端末は、前記一般セルから報知される前記ＭＢＭＳデータをアイドル状態で受信する場合において、前記一般セルにおいてアイドル状態からコネクティッド状態に遷移した上で、前記一般セルから前記特定セルへのハンドオーバを行う制御部を備える。
【００１７】
第４の特徴に係る移動端末は、ＭＢＭＳデータの同報配信をサポートする一般セルと前記ＭＢＭＳデータの同報配信をサポートしない特定セルとを含む移動通信システムにおいて、前記ＭＢＭＳデータを受信する。移動端末は、前記一般セルから報知される前記ＭＢＭＳデータをアイドル状態で受信する場合において、前記一般セルにおけるアイドル状態から前記特定セルへ接続手順を開始する制御部を備える。
【図面の簡単な説明】
【００１８】
【図１】図１は、実施形態に係る移動通信システム１００を示す図である。
【図２】図２は、実施形態に係る無線フレームを示す図である。
【図３】図３は、実施形態に係る無線リソースを示す図である。
【図４】図４は、実施形態に係るＵＥ１０を示すブロック図である。
【図５】図５は、実施形態に係る移動通信方法を示すシーケンス図である。
【図６】図６は、実施形態に係る移動通信方法を示すシーケンス図である。
【図７】図７は、実施形態に係る移動通信方法を説明するための図である。
【図８】図８は、実施形態に係る移動通信方法を説明するための図である。
【発明を実施するための形態】
【００１９】
以下において、本発明の実施形態に係る移動通信システムについて、図面を参照しながら説明する。なお、以下の図面の記載において、同一又は類似の部分には、同一又は類似の符号を付している。
【００２０】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２１】
［実施形態の概要］
実施形態に係る移動通信方法は、ＭＢＭＳデータの同報配信をサポートする一般セルと、接続可能なＣＳＧセルの属する周波数をセル選択の最高優先度に設定する規則が適用される移動端末と、を含む移動通信システムにおいて、前記ＭＢＭＳデータを前記移動端末に配信するための移動通信方法であって、前記一般セルから報知される前記ＭＢＭＳデータをアイドル状態で前記移動端末が受信する場合で、かつ、前記一般セルの属する周波数と前記ＣＳＧセルの属する周波数とが異なる場合には、前記移動端末が、前記規則に代えて他の規則を適用するステップを備える。前記他の規則とは、前記一般セルの属する周波数をセル選択の最高優先度に設定する規則である。
【００２２】
また、実施形態に係る移動通信方法は、ＭＢＭＳデータの同報配信をサポートする一般セルと前記ＭＢＭＳデータの同報配信をサポートしない特定セル（ＣＳＧセル）とを含む移動通信システムにおいて、前記ＭＢＭＳデータを移動端末に配信するための方法である。移動通信方法は、前記一般セルから報知される前記ＭＢＭＳデータをアイドル状態で前記移動端末が受信する場合において、前記移動端末が、前記一般セルにおいてアイドル状態からコネクティッド状態に遷移した上で、前記一般セルから前記特定セルへのハンドオーバを行うステップＡを備える。
【００２３】
実施形態に係る移動通信方法は、ＭＢＭＳデータの同報配信をサポートする一般セルと前記ＭＢＭＳデータの同報配信をサポートしない特定セルとを含む移動通信システムにおいて、前記ＭＢＭＳデータを移動端末に配信するための方法である。移動通信方法は、前記一般セルから報知される前記ＭＢＭＳデータをアイドル状態で前記移動端末が受信する場合において、前記移動端末が、前記一般セルにおけるアイドル状態から前記特定セルへ接続手順を開始するステップＡを備える。
【００２４】
実施形態では、一般セルから報知されるＭＢＭＳデータをアイドル状態で前記移動端末が受信する場合において、最終的に、移動端末が特定セルに接続された状態となる。従って、特定セルがＭＢＭＳデータをユニキャスト（例えば、ＰＤＳＣＨ）で送信することが可能であるため、移動端末は、特定セルからＭＢＭＳデータを継続的に受信することができる。
【００２５】
なお、実施形態において、特定セルは、小規模かつ大規模に配備されるセルであることが好ましい。特定セルは、ＨＮＢ（Ｈｏｍｅ  Ｎｏｄｅ  Ｂ）、ＨｅＮＢ（Ｈｏｍｅ  Ｅｖｏｌｖｅｄ  Ｎｏｄｅ  Ｂ）、フェムトＢＴＳなどによって管理されるセルであることが好ましい。すなわち、特定セルを管理する無線基地局は、ＨＮＢ、ＨｅＮＢ、フェムトＢＴＳなどである。
【００２６】
［第１実施形態］
（移動通信システム）
以下において、第１実施形態に係る移動通信システムについて説明する。図１は、第１実施形態に係る移動通信システム１００を示す図である。
【００２７】
図１に示すように、移動通信システム１００は、無線端末１０（以下、ＵＥ１０）と、コアネットワーク５０とを含む。また、移動通信システム１００は、第１通信システムと第２通信システムとを含む。
【００２８】
第１通信システムは、例えば、ＬＴＥ（Ｌｏｎｇ  Ｔｅｒｍ  Ｅｖｏｌｕｔｉｏｎ）に対応する通信システムである。第１通信システムは、例えば、基地局１１０Ａ（以下、ｅＮＢ１１０Ａ）と、ホーム基地局１１０Ｂ（以下、ＨｅＮＢ１１０Ｂ）と、ホーム基地局ゲートウェイ１２０Ｂ（以下、ＨｅＮＢ−ＧＷ１２０Ｂ）と、ＭＭＥ１３０とを有する。
【００２９】
なお、第１通信システムに対応する無線アクセスネットワーク（Ｅ−ＵＴＲＡＮ；Ｅｖｏｌｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、ｅＮＢ１１０Ａ、ＨｅＮＢ１１０Ｂ及びＨｅＮＢ−ＧＷ１２０Ｂによって構成される。
【００３０】
第２通信システムは、例えば、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）に対応する通信システムである。第２通信システムは、基地局２１０Ａ（以下、ＮＢ２１０Ａ）と、ホーム基地局２１０Ｂ（以下、ＨＮＢ２１０Ｂ）と、ＲＮＣ２２０Ａと、ホーム基地局ゲートウェイ２２０Ｂ（以下、ＨＮＢ−ＧＷ２２０Ｂ）と、ＳＧＳＮ２３０とを有する。
【００３１】
なお、第２通信システムに対応する無線アクセスネットワーク（ＵＴＲＡＮ；Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、ＮＢ２１０Ａ、ＨＮＢ２１０Ｂ、ＲＮＣ２２０Ａ、ＨＮＢ−ＧＷ２２０Ｂによって構成される。
【００３２】
ＵＥ１０は、第２通信システム或いは第１通信システムと通信を行うように構成された装置（Ｕｓｅｒ  Ｅｑｕｉｐｍｅｎｔ）である。例えば、ＵＥ１０は、ｅＮＢ１１０Ａ及びＨｅＮＢ１１０Ｂと無線通信を行う機能を有する。或いは、ＵＥ１０は、ＮＢ２１０Ａ及びＨＮＢ２１０Ｂと無線通信を行う機能を有する。
【００３３】
ｅＮＢ１１０Ａは、一般セル１１１Ａを管理しており、一般セル１１１Ａに存在するＵＥ１０と無線通信を行う装置（ｅｖｏｌｖｅｄ  ＮｏｄｅＢ）である。
【００３４】
ＨｅＮＢ１１０Ｂは、特定セル１１１Ｂを管理しており、特定セル１１１Ｂに存在するＵＥ１０と無線通信を行う装置（Ｈｏｍｅ  ｅｖｏｌｖｅｄ  ＮｏｄｅＢ）である。
【００３５】
ＨｅＮＢ−ＧＷ１２０Ｂは、ＨｅＮＢ１１０Ｂに接続されており、ＨｅＮＢ１１０Ｂを管理する装置（Ｈｏｍｅ  ｅｖｏｌｖｅｄ  ＮｏｄｅＢ  Ｇａｔｅｗａｙ）である。
【００３６】
ＭＭＥ１３０は、ｅＮＢ１１０Ａと接続されており、ＨｅＮＢ１１０Ｂと無線接続を設定しているＵＥ１０の移動性を管理する装置（Ｍｏｂｉｌｉｔｙ  Ｍａｎａｇｅｍｅｎｔ  Ｅｎｔｉｔｙ）である。また、ＭＭＥ１３０は、ＨｅＮＢ−ＧＷ１２０Ｂを介してＨｅＮＢ１１０Ｂと接続されており、ＨｅＮＢ１１０Ｂと無線接続を設定しているＵＥ１０の移動性を管理する装置である。
【００３７】
ＮＢ２１０Ａは、一般セル２１１Ａを管理しており、一般セル２１１Ａに存在するＵＥ１０と無線通信を行う装置（ＮｏｄｅＢ）である。
【００３８】
ＨＮＢ２１０Ｂは、特定セル２１１Ｂを管理しており、特定セル２１１Ｂに存在するＵＥ１０と無線通信を行う装置（Ｈｏｍｅ  ＮｏｄｅＢ）である。
【００３９】
ＲＮＣ２２０Ａは、ＮＢ２１０Ａに接続されており、一般セル２１１Ａに存在するＵＥ１０と無線接続（ＲＲＣ  Ｃｏｎｎｅｃｔｉｏｎ）を設定する装置（Ｒａｄｉｏ  Ｎｅｔｗｏｒｋ  Ｃｏｎｔｒｏｌｌｅｒ）である。
【００４０】
ＨＮＢ−ＧＷ２２０Ｂは、ＨＮＢ２１０Ｂに接続されており、特定セル２１１Ｂに存在するＵＥ１０と無線接続（ＲＲＣ  Ｃｏｎｎｅｃｔｉｏｎ）を設定する装置（Ｈｏｍｅ  ＮｏｄｅＢ  Ｇａｔｅｗａｙ）である。
【００４１】
ＳＧＳＮ２３０は、パケット交換ドメインにおいてパケット交換を行う装置（Ｓｅｒｖｉｎｇ  ＧＰＲＳ  Ｓｕｐｐｏｒｔ  Ｎｏｄｅ）である。ＳＧＳＮ２３０は、コアネットワーク５０に設けられる。図１では省略しているが、回線交換ドメインにおいて回線交換を行う装置（ＭＳＣ；Ｍｏｂｉｌｅ  Ｓｗｉｔｃｈｉｎｇ  Ｃｅｎｔｅｒ）がコアネットワーク５０に設けられていてもよい。
【００４２】
なお、一般セル及び特定セルは、ＵＥ１０と無線通信を行う機能として理解すべきである。但し、一般セル及び特定セルは、セルのカバーエリアを示す用語としても用いられる。また、一般セル及び特定セルなどのセルは、セルで用いられる周波数、拡散コード又はタイムスロットなどによって識別される。
【００４３】
特定セルは、フェムトセル、ＣＳＧ（Ｃｌｏｓｅｄ  Ｓｕｂｓｃｒｉｂｅｒ  Ｇｒｏｕｐ）セル、ホームセルなどと称されることもある。また、特定セルは、特定セルにアクセス可能なＵＥ１０を規定するアクセス種別が設定可能に構成されている。アクセス種別は、「Ｃｌｏｓｅｄ」、「Ｈｙｂｒｉｄ」又は「Ｏｐｅｎ」である。
【００４４】
「Ｃｌｏｓｅｄ」の特定セルは、特定セルによって管理されるＵＥ１０（ＵＥ；Ｕｓｅｒ  Ｅｑｕｉｐｍｅｎｔ）に対するサービスの提供のみが許可されるように構成される。
【００４５】
「Ｈｙｂｒｉｄ」の特定セルは、例えば、特定セルによって管理されるＵＥ１０に対して高品質の通信が許可されるように構成されており、特定セルによって管理されていないＵＥ１０に対してベストエフォート品質の通信が許可されるように構成される。
【００４６】
「Ｏｐｅｎ」の特定セルは、一般セルと同様に、全てのＵＥ１０に対するサービスの提供が許可されるように構成される。なお、「Ｏｐｅｎ」のセルでは、特定セルによって管理されている否かによって、ＵＥ１０間の通信品質の差異が区別されない。
【００４７】
なお、アクセス種別は、アクセスクラス毎にＵＥ１０のアクセスを禁止する「ＡＣＣＥＳＳ  ＣＬＡＳＳ  ＢＡＲＲＥＤ」、セル毎にＵＥ１０のアクセスを禁止する「ＣＥＬＬ  ＢＡＲＲＥＤ」であってもよい。
【００４８】
なお、以下においては、第１通信システムについて主として説明する。但し、以下の記載が第２通信システムに適用されてもよい。
【００４９】
ここで、第１通信システムでは、下り方向の多重方式として、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式が用いられており、上り方向の多重方式として、ＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式が用いられる。
【００５０】
また、第１通信システムでは、上り方向のチャネルとして、上り方向制御チャネル（ＰＵＣＣＨ；Ｐｈｙｓｉｃａｌ  Ｕｐｌｉｎｋ  Ｃｏｎｔｒｏｌ  Ｃｈａｎｎｅｌ）及び上り方向共有チャネル（ＰＵＳＣＨ；Ｐｈｙｓｉｃａｌ  Ｕｐｌｉｎｋ  Ｓｈａｒｅｄ  Ｃｈａｎｎｅｌ）などが存在する。また、下り方向のチャネルとして、下り方向制御チャネル（ＰＤＣＣＨ；Ｐｈｙｓｉｃａｌ  Ｄｏｗｎｌｉｎｋ  Ｃｏｎｔｒｏｌ  Ｃｈａｎｎｅｌ）及び下り方向共有チャネル（ＰＤＳＣＨ；Ｐｈｙｓｉｃａｌ  Ｄｏｗｎｌｉｎｋ  Ｓｈａｒｅｄ  Ｃｈａｎｎｅｌ）などが存在する。
【００５１】
上り方向制御チャネルは、制御信号を搬送するチャネルである。制御信号は、例えば、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｏｒ）、ＳＲ（Ｓｃｈｅｄｕｌｉｎｇ  Ｒｅｑｕｅｓｔ）、ＡＣＫ／ＮＡＣＫなどである。
【００５２】
ＣＱＩは、下り方向の伝送に使用すべき推奨変調方式と符号化速度を通知する信号である。ＰＭＩは、下り方向の伝送の為に使用することが望ましいプリコーダマトリックスを示す信号である。ＲＩは、下り方向の伝送に使用すべきレイヤ数（ストリーム数）を示す信号である。ＳＲは、上り方向無線リソース（後述するリソースブロック）の割当てを要求する信号である。ＡＣＫ／ＮＡＣＫは、下り方向のチャネル（例えば、ＰＤＳＣＨ）を介して送信される信号を受信できたか否かを示す信号である。
【００５３】
上り方向共有チャネルは、制御信号（上述した制御信号を含む）又は／及びデータ信号を搬送するチャネルである。例えば、上り方向無線リソースは、データ信号にのみ割当てられてもよく、データ信号及び制御信号が多重されるように割当てられてもよい。
【００５４】
下り方向制御チャネルは、制御信号を搬送するチャネルである。制御信号は、例えば、Ｕｐｌｉｎｋ  ＳＩ（Ｓｃｈｅｄｕｌｉｎｇ  Ｉｎｆｏｒｍａｔｉｏｎ）、Ｄｏｗｎｌｉｎｋ  ＳＩ（Ｓｃｈｅｄｕｌｉｎｇ  Ｉｎｆｏｒｍａｔｉｏｎ）、ＴＰＣビットである。
【００５５】
Ｕｐｌｉｎｋ  ＳＩは、上り方向無線リソースの割当てを示す信号である。Ｄｏｗｎｌｉｎｋ  ＳＩは、下り方向無線リソースの割当てを示す信号である。ＴＰＣビットは、上り方向のチャネルを介して送信される信号の電力の増減を指示する信号である。
【００５６】
下り方向共有チャネルは、制御信号又は／及びデータ信号を搬送するチャネルである。例えば、下り方向無線リソースは、データ信号にのみ割当てられてもよく、データ信号及び制御信号が多重されるように割当てられてもよい。
【００５７】
なお、下り方向共有チャネルを介して送信される制御信号としては、ＴＡ（Ｔｉｍｉｎｇ  Ａｄｖａｎｃｅ）が挙げられる。ＴＡは、ＵＥ１０とｅＮＢ１１０Ａとの間の送信タイミング補正情報であり、ＵＥ１０から送信される上り方向信号に基づいてｅＮＢ１１０Ａによって測定される。
【００５８】
また、下り方向制御チャネル（ＰＤＣＣＨ）下り方向共有チャネル（ＰＤＳＣＨ）以外のチャネルを介して送信される制御信号としては、ＡＣＫ／ＮＡＣＫが挙げられる。ＡＣＫ／ＮＡＣＫは、上り方向のチャネル（例えば、ＰＵＳＣＨ）を介して送信される信号を受信できたか否かを示す信号である。
【００５９】
第１実施形態において、一般セルは、ＭＢＭＳデータの同報配信をサポートするセルである。一般セルは、ＭＢＭＳデータの内容（番組表）を示すＭＢＭＳサービス情報を報知する。或いは、一般セルは、ＭＢＭＳサービス情報が変更される旨及びＭＢＭＳサービス情報が変更されるタイミングを示すＭＢＭＳサービス変更情報を報知する。例えば、一般セルは、ＭＢＭＳデータをＭＴＣＨ（Ｍｕｌｔｉｃａｓｔ  Ｔｒａｆｆｉｃ  Ｃｈａｎｎｅｌ）を介して送信する。また、一般セルは、ＭＢＭＳデータの内容（番組表）を示すＭＢＭＳサービス情報をＭＣＣＨ（Ｍｕｌｔｉｃａｓｔ  Ｔｒａｆｆｉｃ  Ｃｈａｎｎｅｌ）を介して送信する。或いは、一般セルは、ＭＢＭＳサービス情報をＭＴＣＨを介して送信する。
【００６０】
これに対して、特定セルは、ＭＢＭＳデータの同報配信をサポートしないセルである。従って、特定セルは、ＭＢＭＳデータを同報配信する機能を有しておらず、一般的には、ＭＢＭＳサービス情報やＭＢＭＳサービス変更情報も報知しないことに留意すべきである。但し、特定セルは、特定セルと接続しているコネクティッド状態のＵＥ１０に対して、ＭＢＭＳデータを送信することは可能である。例えば、特定セルは、ＰＤＳＣＨを用いてＭＢＭＳデータを送信することが可能である。
【００６１】
なお、一般セル及び特定セルは、報知チャネル（ＢＣＣＨ；Ｂｒｏａｄｃａｓｔ  Ｃｏｎｔｒｏｌ  Ｃｈａｎｎｅｌ）を介して報知情報を報知する。報知情報は、例えば、ＭＩＢ（Ｍａｓｔｅｒ  Ｉｎｆｏｒｍａｔｉｏｎ  Ｂｌｏｃｋ）やＳＩＢ（Ｓｙｓｔｅｍ  Ｉｎｆｏｒｍａｔｉｏｎ  Ｂｌｏｃｋ）などの情報である。
【００６２】
（無線フレーム）
以下において、第１通信システムにおける無線フレームについて説明する。図２は、第１通信システムにおける無線フレームを示す図である。
【００６３】
図２に示すように、１つの無線フレームは、１０のサブフレームによって構成されており、１つのサブフレームは、２つのスロットによって構成される。１つのスロットの時間長は、０．５ｍｓｅｃであり、１つのサブフレームの時間長は、１ｍｓｅｃであり、１つの無線フレームの時間長は、１０ｍｓｅｃである。
【００６４】
なお、１つのスロットは、下り方向において、複数のＯＦＤＭシンボル（例えば、６つのＯＦＤＭシンボル或いは７つのＯＦＤＭシンボル）によって構成される。同様に、１つのスロットは、上り方向において、複数のＳＣ−ＦＤＭＡシンボル（例えば、６つのＳＣ−ＦＤＭＡシンボル或いは７つのＳＣ−ＦＤＭＡシンボル）によって構成される。
【００６５】
（無線リソース）
以下において、第１通信システムにおける無線リソースについて説明する。図３は、第１通信システムにおける無線リソースを示す図である。
【００６６】
図３に示すように、無線リソースは、周波数軸及び時間軸によって定義される。周波数は、複数のサブキャリアによって構成されており、所定数のサブキャリア（１２のサブキャリア）を纏めてリソースブロック（ＲＢ：Ｒｅｓｏｕｒｃｅ  Ｂｌｏｃｋ）と称する。時間は、上述したように、ＯＦＤＭシンボル（又は、ＳＣ−ＦＤＭＡシンボル）、スロット、サブフレーム、無線フレームなどの単位を有する。
【００６７】
ここで、無線リソースは、１リソースブロック毎に割当て可能である。また、周波数軸及び時間軸上において、複数のユーザ（例えば、ユーザ＃１〜ユーザ＃５）に対して分割して無線リソースを割当てることが可能である。
【００６８】
また、無線リソースは、ｅＮＢ１１０Ａによって割当てられる。ｅＮＢ１１０Ａは、ＣＱＩ、ＰＭＩ、ＲＩなどに基づいて、各ＵＥ１０に割当てられる。
【００６９】
（移動端末）
以下において、第１実施形態に係る移動端末について説明する。図４は、第１実施形態に係るＵＥ１０を示すブロック図である。
【００７０】
以下においては、一般セルから報知される前記ＭＢＭＳデータをＵＥ１０がアイドル状態で受信する場合において、一般セルから特定セルへのセル選択（Ｃｅｌｌ  Ｒｅｓｅｌｅｃｔｉｏｎ）を行うケースについて主として説明する。
【００７１】
なお、ＭＢＭＳデータを受信するＵＥ１０は、ＭＢＭＳデータを実際に受信しているＵＥ１０だけではなくて、ＭＢＭＳデータを受信しようとするＵＥ１０も含むことに留意すべきである。ＭＢＭＳデータを受信しようとするＵＥ１０は、例えば、ＭＢＭＳデータの内容に興味がある旨をネットワーク側に通知したＵＥ１０である。
【００７２】
図４に示すように、ＵＥ１０は、通信部１１と、記憶部１２と、制御部１３とを有する。
【００７３】
通信部１１は、一般セルを管理する無線基地局（ｅＮＢ１１０Ａ又はＮＢ２１０Ａ）と無線通信を行う。また、通信部１１は、特定セルを管理する無線基地局（ＨｅＮＢ１１０Ｂ又はＨＮＢ２１０Ｂ）と無線通信を行う。
【００７４】
記憶部１２は、ＵＥ１０を制御するための各種情報を記憶する。例えば、記憶部１２は、ＵＥ１０を動作させるためのプログラムを記憶する。また、記憶部１２は、ＵＥ１０が接続可能な特定セルのリスト、すなわち、ＵＥ１０に対するサービスの提供が許可された特定セルのリスト（ＣＳＧ  ｗｈｉｔｅ  ｌｉｓｔ）を記憶する。
【００７５】
制御部１３は、ＵＥ１０の動作を制御する。例えば、制御部１３は、ＵＥ１０の待受セルの選択（Ｃｅｌｌ  Ｒｅｓｅｌｅｃｔｉｏｎ）を制御する。
【００７６】
一般的には、制御部１３は、現在のセルの品質（Ｑｍｅａｓ，ｓ）と隣接セルの品質（Ｑｍｅａｓ，ｎ）との比較結果に応じて、各セルのランキングを行う。制御部１３は、最も高いランキングを有するセルを待受セルとして選択する。なお、隣接セルは、現在のセルに隣接するセルであることは勿論である。詳細には、制御部１３は、現在のセルの品質（Ｑｍｅａｓ，ｓ）にヒステリシス（ＱＨｙｓｔ）を加算して、現在のセルのランキング（Ｒｓ）を算出する。また、制御部１３は、隣接セルの品質（Ｑｍｅａｓ，ｓ）からオフセット（Ｑｏｆｆｓｅｔ）を減算して、現在のセルのランキング（Ｒｎ）を算出する。
【００７７】
或いは、制御部１３は、セルの属する周波数の優先度（ｃｅｌｌＲｅｓｅｌｅｃｔｉｏｎＰｒｉｏｒｉｔｙ）に基づいて、最も高い優先度を有するセルを待受セルとして選択する。或いは、制御部１３は、ランキング結果及び優先度（ｃｅｌｌＲｅｓｅｌｅｃｔｉｏｎＰｒｉｏｒｉｔｙ）に基づいて、最も優先度が高いセルを待受セルとして選択する。なお、ランキングは、待受セルとして選択される優先度を示しているため、優先度の一種と解釈してもよいことに留意すべきである。
【００７８】
なお、ヒステリシス（ＱＨｙｓｔ）、オフセット（Ｑｏｆｆｓｅｔ）及び優先度（ｃｅｌｌＲｅｓｅｌｅｃｔｉｏｎＰｒｉｏｒｉｔｙ）は、一般セルを管理する無線基地局（ｅＮＢ１１０Ａ又はＮＢ２１０Ａ）から報知される情報である。
【００７９】
一方で、制御部１３は、ＵＥ１０が接続可能な特定セルのリストに含まれるセルが隣接セル（特定セル）に含まれる場合には、特定セルの優先度を最も高く設定する。すなわち、制御部１３は、ＵＥ１０が接続可能な特定セルのリストに含まれるセルが隣接セル（特定セル）に含まれる場合には、特定セルを待受セルとして選択する。例えば、特定セルの属する周波数が一般セルの属する周波数と異なる場合に、特定セルの優先度が最も高く設定されてもよい。なお、特定セルの属する周波数が一般セルの属する周波数と同じである場合に、特定セルの優先度が最も高く設定されてもよい。
【００８０】
以上のように、一般的なセル選択について説明したが、第１実施形態において、制御部１３は、セル選択のターゲットセルとして特定セルが選択された場合に、特定の条件下において、以下のように動作する。
【００８１】
第１に、制御部１３は、一般セルから報知されるＭＢＭＳデータをアイドル状態で受信する場合において、一般セルにおいてアイドル状態からコネクティッド状態に遷移した上で、一般セルから特定セルへのハンドオーバを行ってもよい。
【００８２】
このようなケースにおいて、例えば、制御部１３は、一般セルの属する周波数が特定セルの属する周波数と同じである場合に、一般セルにおいてアイドル状態からコネクティッド状態に遷移した上で、一般セルから特定セルへのハンドオーバを行ってもよい。言い換えると、制御部１３は、一般セルの属する周波数が特定セルの属する周波数と異なる場合に、アイドル状態を維持しながら、一般セルから特定セルへのセル選択を行ってもよい。或いは、制御部１３は、一般セルの属する周波数が特定セルの属する周波数と異なる場合に、一般セルから特定セルへのセル選択を行わずに、待受セルを一般セルのまま維持してもよい。
【００８３】
また、制御部１３は、ＭＢＭＳデータ以外のサービスが利用されていない場合であっても、一般セルにおいてアイドル状態からコネクティッド状態に遷移した上で、一般セルから特定セルへのハンドオーバを行ってもよい。言い換えると、制御部１３は、アップリンクを介して送信すべきユーザデータが存在しない場合であっても、すなわち、アイドル状態からコネクティッド状態に遷移する必要がない場合であっても、一般セルにおいてアイドル状態からコネクティッド状態に遷移した上で、一般セルから特定セルへのハンドオーバを行ってもよい。
【００８４】
第２に、制御部１３は、一般セルから報知されるＭＢＭＳデータをアイドル状態で受信する場合において、一般セルにおけるアイドル状態から特定セルへの接続手順を開始してもよい。
【００８５】
このようなケースにおいて、例えば、制御部１３は、一般セルの属する周波数が特定セルの属する周波数と同じである場合に、一般セルにおけるアイドル状態から特定セルへの接続手順を開始してもよい。言い換えると、制御部１３は、一般セルの属する周波数が特定セルの属する周波数と異なる場合に、アイドル状態を維持しながら、一般セルから特定セルへのセル選択を行ってもよい。或いは、制御部１３は、一般セルの属する周波数が特定セルの属する周波数と異なる場合に、一般セルから特定セルへのセル選択を行わずに、待受セルを一般セルのまま維持してもよい。
【００８６】
また、制御部１３は、ＭＢＭＳデータ以外のサービスが利用されていない場合であっても、一般セルにおけるアイドル状態から特定セルへの接続手順を開始してもよい。言い換えると、制御部１３は、アップリンクを介して送信すべきユーザデータが存在しない場合であっても、すなわち、アイドル状態からコネクティッド状態に遷移する必要がない場合であっても、一般セルにおけるアイドル状態から特定セルへの接続手順を開始してもよい。
【００８７】
なお、一般セルから特定セルへのハンドオーバ手順は、例えば、３ＧＰＰ  ＴＳ３６．３００  Ｖ１０．４．０  §１０．５．１．２  “ＲＲＣ＿ＣＯＮＮＥＣＴＥＤ”に記載されたハンドオーバ手順を用いてもよい。また、特定セルへの接続手順は、３ＧＰＰ  ＴＳ３６．３００  Ｖ１０．４．０  §１０．１．５．１  “Ｃｏｎｔｅｎｔｉｏｎ  ｂａｓｅｄ  ｒａｎｄｏｍ  ａｃｃｅｓｓ  ｐｒｏｃｅｄｕｒｅ”に記載されてランダムアクセス手順を用いてもよい。
【００８８】
（移動通信方法）
以下において、第１実施形態に係る移動通信方法について説明する。図５及び図６は、第１実施形態に係る移動通信方法を示すシーケンス図である。
【００８９】
以下においては、一般セルから報知される前記ＭＢＭＳデータをＵＥ１０がアイドル状態で受信する場合において、一般セルから特定セルへのセル選択（Ｃｅｌｌ  Ｒｅｓｅｌｅｃｔｉｏｎ）を行うケースについて主として説明する。
【００９０】
第１に、セル選択のターゲットセルとして特定セルが選択された場合における第１方法について、図５を参照しながら説明する。
【００９１】
図５に示すように、ステップ１０において、ＵＥ１０は、一般セルを管理するｅＮＢ１１０Ａから報知情報を受信する。報知情報は、例えば、ヒステリシス（ＱＨｙｓｔ）、オフセット（Ｑｏｆｆｓｅｔ）及び優先度（ｃｅｌｌＲｅｓｅｌｅｃｔｉｏｎＰｒｉｏｒｉｔｙ）を含む。また、報知情報は、現在のセル（一般セル）に隣接する隣接セルのリストを含む。
【００９２】
ステップ２０において、ＵＥ１０は、現在のセルの品質及び隣接セルの品質を測定する。
【００９３】
ステップ３０において、ＵＥ１０は、セル選択を行う。ここでは、セル選択のターゲットセルとして特定セルが選択されたものとして説明を続ける。
【００９４】
ステップ４０において、ＵＥ１０は、一般セルへの接続手順（例えば、Ｒａｎｄｏｍ  Ａｃｃｅｓｓ  Ｐｒｏｃｅｄｕｒｅ）を開始する。
【００９５】
詳細には、ステップ４１において、ＵＥ１０は、一般セルを管理するｅＮＢ１１０Ａに対して、所定プレアンブル（Ｒａｎｄｏｍ  Ａｃｃｅｓｓ  Ｐｒｅａｍｂｌｅ）を送信する。ＵＥ１０が用いるべき所定プレアンブルを示す情報は、一般セルから報知される。
【００９６】
ステップ４２において、一般セルを管理するｅＮＢ１１０Ａは、ＵＥ１０に対して、所定プレアンブルに対する応答（Ｒａｎｄｏｍ  Ａｃｃｅｓｓ  Ｒｅｓｐｏｎｓｅ）を送信する。所定プレアンブルに対する応答は、例えば、ＵＥ１０と一般セルとの間のタイミングを揃えるための情報、初期伝送速度などを含む。
【００９７】
ステップ４３において、ＵＥ１０は、一般セルを管理するｅＮＢ１１０Ａに対して、初回情報として、例えば、ＲＲＣコネクションの設定を要求する情報（ＲＲＣ  Ｃｏｎｎｅｃｔｉｏｎ  Ｒｅｑｕｅｓｔ）を送信する。
【００９８】
ステップ４４において、一般セルを管理するｅＮＢ１１０Ａは、ＵＥ１０に対して、初回情報に対する応答として、例えば、ＲＲＣコネクションが設定された旨を示す情報（ＲＲＣ  Ｃｏｎｎｅｃｔｉｏｎ  Ｓｅｔｕｐ）を送信する。
【００９９】
ステップ５０において、ＵＥ１０は、一般セルから特定セルへのハンドオーバ手順を行う。一般セルから特定セルへのハンドオーバ手順は、例えば、３ＧＰＰ  ＴＳ３６．３００  Ｖ１０．４．０  §１０．５．１．２  “ＲＲＣ＿ＣＯＮＮＥＣＴＥＤ”に記載されたハンドオーバ手順を用いてもよい。
【０１００】
ステップ６０において、特定セルを管理するＨｅＮＢ１１０Ｂは、特定セルと接続されたＵＥ１０に対して、ＭＢＭＳデータを送信する。ＭＢＭＳデータは、例えば、ＰＤＳＣＨを介して送信される。
【０１０１】
第２に、セル選択のターゲットセルとして特定セルが選択された場合における第２方法について、図６を参照しながら説明する。
【０１０２】
図６に示すように、ステップ１１０において、ＵＥ１０は、一般セルを管理するｅＮＢ１１０Ａから報知情報を受信する。報知情報は、例えば、ヒステリシス（ＱＨｙｓｔ）、オフセット（Ｑｏｆｆｓｅｔ）及び優先度（ｃｅｌｌＲｅｓｅｌｅｃｔｉｏｎＰｒｉｏｒｉｔｙ）を含む。また、報知情報は、現在のセル（一般セル）に隣接する隣接セルのリストを含む。
【０１０３】
ステップ１２０において、ＵＥ１０は、現在のセルの品質及び隣接セルの品質を測定する。
【０１０４】
ステップ１３０において、ＵＥ１０は、セル選択を行う。ここでは、セル選択のターゲットセルとして特定セルが選択されたものとして説明を続ける。
【０１０５】
ステップ１４０において、ＵＥ１０は、特定セルを管理するＨｅＮＢ１１０Ｂから報知情報を受信する。なお、報知情報は、例えば、ＭＩＢやＳＩＢなどを含む。
【０１０６】
ステップ１５０において、ＵＥ１０は、一般セルへの接続手順（例えば、Ｒａｎｄｏｍ  Ａｃｃｅｓｓ  Ｐｒｏｃｅｄｕｒｅ）を開始する。
【０１０７】
詳細には、ステップ１５１において、ＵＥ１０は、特定セルを管理するＨｅＮＢ１１０Ｂに対して、所定プレアンブル（Ｒａｎｄｏｍ  Ａｃｃｅｓｓ  Ｐｒｅａｍｂｌｅ）を送信する。ＵＥ１０が用いるべき所定プレアンブルを示す情報は、特定セルから報知される。
【０１０８】
ステップ１５２において、特定セルを管理するＨｅＮＢ１１０Ｂは、ＵＥ１０に対して、所定プレアンブルに対する応答（Ｒａｎｄｏｍ  Ａｃｃｅｓｓ  Ｒｅｓｐｏｎｓｅ）を送信する。所定プレアンブルに対する応答は、例えば、ＵＥ１０と特定セルとの間のタイミングを揃えるための情報、初期伝送速度などを含む。
【０１０９】
ステップ１５３において、ＵＥ１０は、特定セルを管理するＨｅＮＢ１１０Ｂに対して、初回情報として、例えば、ＲＲＣコネクションの設定を要求する情報（ＲＲＣ  Ｃｏｎｎｅｃｔｉｏｎ  Ｒｅｑｕｅｓｔ）を送信する。
【０１１０】
ステップ１５４において、特定セルを管理するＨｅＮＢ１１０Ｂは、ＵＥ１０に対して、初回情報に対する応答として、例えば、ＲＲＣコネクションが設定された旨を示す情報（ＲＲＣ  Ｃｏｎｎｅｃｔｉｏｎ  Ｓｅｔｕｐ）を送信する。
【０１１１】
ステップ１６０において、特定セルを管理するＨｅＮＢ１１０Ｂは、特定セルと接続されたＵＥ１０に対して、ＭＢＭＳデータを送信する。ＭＢＭＳデータは、例えば、ＰＤＳＣＨを介して送信される。
【０１１２】
（作用及び効果）
第１実施形態では、一般セルから報知されるＭＢＭＳデータをアイドル状態で前記移動端末が受信する場合において、最終的に、ＵＥ１０が特定セルに接続された状態となる。従って、特定セルがＭＢＭＳデータをユニキャスト（例えば、ＰＤＳＣＨ）で送信することが可能であるため、ＵＥ１０は、特定セルからＭＢＭＳデータを継続的に受信することができる。
【０１１３】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１１４】
なお、３ＧＰＰリリース１１では、ＭＢＭＳサービスのサービス継続性を提供することが検討される。特に、ＵＥがＭＢＭＳサービスを受け続ける（すなわち、ＭＢＭＳデータの受信を継続する）ことができるよう、ＵＥのアイドルモード（アイドル状態）での選択／再選択プロシージャを改良する必要がある。以下において、ＭＢＭＳ対応セルとＭＢＭＳ非対応セルとの間でＵＥが移動する際のアイドルモードプロシージャについて説明する。
【０１１５】
ＭＢＭＳサービスは、一部のＭＢＳＦＮエリアで提供されるが、全てのエリアで提供される訳ではない。現状、ＵＥは、セル再選択の前に、ターゲットセルがＭＢＭＳサービスをサポートするか否かの知識を持たない。ＵＥが、ＭＢＳＦＮエリアと非ＭＢＳＦＮエリアとの間の境界において、非ＭＢＳＦＮエリアのセルを再選択した場合、再選択されたセルでＭＢＭＳサービスが提供されないので、ＭＢＭＳサービス継続性に影響を与える。ＵＥがＭＢＳＦＮエリア内の現在のセルを維持するのであれば、ＭＢＭＳサービスが途切れずに継続できる。
【０１１６】
図７に示すように、ＵＥ１がＭＢＭＳ非対応セル（マクロセル）を再選択する場合、ＵＥ１は、もはやＭＢＭＳサービスをＰＴＭで受けることができない。ＣＳＧセルはＭＢＭＳ非対応セルの特殊なケースであるので、ＵＥ２もまたＣＳＧセルを再選択するとＭＢＭＳサービスをＰＴＭで受けることができない。現在の再選択規則によれば、メンバーＵＥは、適切なＣＳＧセルを検知すると、現在キャンプしているセルの周波数優先度と無関係に、ＣＳＧセルを再選択する。
【０１１７】
ＵＥのＭＢＭＳサービス継続性を最適化するために、現在のＭＢＭＳキャリアを最高優先度とするようセル再選択プロシージャを修正する必要がある。ＵＥが現にＭＢＭＳサービスをＰＴＭで受けている場合、ＵＥは、ＭＢＭＳ周波数を再選択の最高優先度周波数とすべきである。
【０１１８】
このような再選択プロシージャは、異なる周波数に属するセル（ＭＢＭＳ対応セル及びＭＢＭＳ非対応セル）間で再選択を行うのに有益である。しかしながら、図８に示すように、イントラ周波数（周波数内）のケース、特に、同一周波数のＣＳＧセルに対して再選択を行うケースにも同様の変更を行うか否かは検討が必要である。ＭＢＭＳ対応セルを最高優先度とするよう再選択規則を変更する場合、ＵＥは、ターゲットＣＳＧセルからの干渉によりＭＢＭＳ対応セルのカバレッジ外となることがある。よって、同一周波数のＣＳＧセルはＵＥの最高優先度とすることが合理的である。ＵＥがＭＢＭＳサービスを継続して受けるためには、ＣＳＧセルにおいてユニキャスト接続を使用できる。
【０１１９】
したがって、イントラ周波数での再選択には、現在の再選択プロシージャを適用し、ＵＥはユニキャスト接続によりＭＢＭＳサービスを受けることができる。
【０１２０】
上述したように、ＭＢＭＳ非対応セルにキャンプするメンバーＵＥは、ユニキャストでＭＢＭＳサービスを受け続けることができる。しかしながら、ＭＢＭＳ非対応セルは、ＭＢＭＳをサポートしないので、ＵＥが利用できるＭＢＭＳサービス情報又はＭＢＭＳサービス変更通知を持たない。ＭＢＭＳサービスの継続性とは、ＭＢＭＳサービス変更通知を含む全てのＭＢＭＳ関連情報をＵＥが利用できることを含む。
【０１２１】
したがって、ＭＢＭＳ非対応セルにキャンプするＵＥには、ＭＢＭＳサービス情報又はＭＢＭＳサービス変更通知が送られるべきである。
【０１２２】
なお、米国仮出願第６１／５２３１５９号（２０１１年８月１２日出願）の全内容が、参照により、本願明細書に組み込まれている。
【産業上の利用可能性】
【０１２３】
以上のように、本発明は、移動端末が継続的にＭＢＭＳデータを受信できるので、移動通信分野において有用である。
【図１】
0005932800.tif 000002
【図２】
0005932800.tif 000003
【図３】
0005932800.tif 000004
【図４】
0005932800.tif 000005
【図５】
0005932800.tif 000006
【図６】
0005932800.tif 000007
【図７】
0005932800.tif 000008
【図８】
0005932800.tif 000009